(57)【要約】【課題】各センサ部において形成されるコンデンサの容量を効果的に増加させることができるタッチパネルセンサを提供する。【解決手段】タッチパネルセンサは、第１領域及び第１領域の周辺の第２領域とに区画される基材と、第１領域に位置し、第１電極及び第２電極を有する複数のセンサ部と、各センサ部の第１電極に接続され、第２領域まで延びる複数の第１配線と、各センサ部の第２電極に接続され、第２領域まで延びる複数の第２配線と、を備える。第１電極は、第１方向に延び、且つ第１方向に交差する第２方向に並ぶ複数の第１線状部分を含む。第２電極は、隣り合う２つの第１線状部分の間に位置し、第１方向に延び、且つ第２方向に並ぶ複数の第２線状部分を含む。第２方向において隣り合う２つのセンサ部において、一方のセンサ部の第１電極の第１線状部分の端部の、第１方向における位置が、他方のセンサ部の第１電極の第１線状部分の端部の、第１方向における位置と異なっている。【選択図】図２２
2018112841.tif 000002
【特許請求の範囲】
【請求項１】
外部導体の位置を検出することができる領域に対応する第１領域と、前記第１領域の周辺に位置する第２領域と、に区画される基材と、
前記基材の一方の側において前記第１領域に位置し、第１電極及び第２電極を有する複数のセンサ部と、
各センサ部の前記第１電極に接続され、前記第２領域まで延びる複数の第１配線と、
各センサ部の前記第２電極に接続され、前記第２領域まで延びる複数の第２配線と、を備え、
前記第１電極は、第１方向に延び、且つ前記第１方向に交差する第２方向に並ぶ複数の第１線状部分を含み、
前記第２電極は、隣り合う２つの前記第１線状部分の間に位置し、前記第１方向に延び、且つ前記第２方向に並ぶ複数の第２線状部分を含み、
前記第２方向において隣り合う２つの前記センサ部において、一方の前記センサ部の前記第１電極の前記第１線状部分の端部の、前記第１方向における位置が、他方の前記センサ部の前記第１電極の前記第１線状部分の端部の、前記第１方向における位置と異なっている、タッチパネルセンサ。
【請求項２】
少なくとも１つの前記センサ部の前記第１電極において隣り合う２つの前記第１線状部分において、一方の前記第１線状部分の端部の、前記第１方向における位置が、他方の前記第１線状部分の端部の、前記第１方向における位置と異なっている、請求項１に記載のタッチパネルセンサ。
【請求項３】
外部導体の位置を検出することができる領域に対応する第１領域と、前記第１領域の周辺に位置する第２領域と、に区画される基材と、
前記基材の一方の側において前記第１領域に位置し、第１電極及び第２電極を有する複数のセンサ部と、
各センサ部の前記第１電極に接続され、前記第２領域まで延びる複数の第１配線と、
各センサ部の前記第２電極に接続され、前記第２領域まで延びる複数の第２配線と、を備え、
前記第１電極は、第１方向に延び、且つ前記第１方向に交差する第２方向に並ぶ複数の第１線状部分を含み、
前記第２電極は、隣り合う２つの前記第１線状部分の間に位置し、前記第１方向に延び、且つ前記第２方向に並ぶ複数の第２線状部分を含み、
少なくとも１つの前記センサ部の前記第１電極において隣り合う２つの前記第１線状部分において、一方の前記第１線状部分の端部の、前記第１方向における位置が、他方の前記第１線状部分の端部の、前記第１方向における位置と異なっている、タッチパネルセンサ。
【請求項４】
前記第２方向において隣り合う２つの前記センサ部において、一方の前記センサ部の前記第１電極の前記第１線状部分の端部の、前記第１方向における位置が、他方の前記センサ部の前記第１電極の前記第１線状部分の端部の、前記第１方向における位置と異なっている、請求項３に記載のタッチパネルセンサ。
【請求項５】
前記第１電極は、複数の前記第１線状部分に接続された第１接続部分を更に含み、
前記第２方向において隣り合う２つの前記センサ部において、一方の前記センサ部の前記第１電極の前記第１接続部分の、前記第１方向における幅が、他方の前記センサ部の前記第１電極の前記第１接続部分の、前記第１方向における幅と異なっている、請求項１乃至４のいずれか一項に記載のタッチパネルセンサ。
【請求項６】
前記第１接続部分の側部が、鋸状の輪郭を有する、請求項５に記載のタッチパネルセンサ。
【請求項７】
前記センサ部、前記第１配線及び前記第２配線は、基材の一方の側に網目状に配置され、遮光性および導電性を有する複数の導線を含む、請求項１乃至６のいずれか一項に記載のタッチパネルセンサ。
【請求項８】
前記センサ部は、前記第１電極の前記第１線状部分と前記第２電極の前記第２線状部分との間に位置し、前記第１電極及び前記第２電極のいずれにも接続されていないダミー電極を更に有する、請求項１乃至７のいずれか一項に記載のタッチパネルセンサ。
【請求項９】
前記複数のセンサ部は、第３方向及び第４方向に並んでおり、
前記第１配線は、第３方向に延びている、請求項１乃至８のいずれか一項に記載のタッチパネルセンサ。
【請求項１０】
前記第１線状部分が延びる第１方向が、前記第１配線が延びる第３方向に直交する方向に対して成す角度が、−４０°以上且つ４０°以下である、請求項９に記載のタッチパネルセンサ。
【請求項１１】
表示装置と、
前記表示装置の表示面上に配置された、請求項１乃至１０のいずれか一項に記載の前記タッチパネルセンサと、を備える、タッチ位置検出機能付き表示装置。
【発明の詳細な説明】
【技術分野】
【０００１】
本発明は、外部導体の接近又は接触を検出するためのタッチパネルセンサ及びタッチ位置検出機能付き表示装置に関する。
【背景技術】
【０００２】
今日、液晶ディスプレイや有機ＥＬディスプレイ等の表示装置が組み込まれた種々の装置等（例えば、券売機、ＡＴＭ装置、携帯電話、ゲーム機）に対する入力手段として、タッチパネル装置が広く用いられている。タッチパネル装置は、基材と、基材上に設けられ、指などの外部導体の接近又は接触を検出するセンサ部と、センサ部に接続された配線と、を備えるタッチパネルセンサを含む。タッチパネルセンサの基材は、外部導体が検出され得る領域に対応するアクティブエリアと、アクティブエリアの周辺に位置する非アクティブエリアと、に区画される。タッチパネルセンサが表示装置の表示面に重ねられる場合、アクティブエリアは、表示装置から放出される映像光が適切に透過できるように構成される。
【０００３】
タッチパネルセンサの構造として、基材の片側にセンサ部及び配線を設ける構造が知られている。例えば特許文献１において、タッチパネルセンサは、駆動電極及び検出電極を有し、基材の片側に二次元配列された複数のセンサ部と、駆動電極に接続されたドライブ線と、検出電極に接続されたセンス線と、を備える。この場合、駆動電極と検出電極との間に形成される電気力線が、外部導体の接近又は接触による影響を受けることに基づいて、外部導体の位置を検出することができる。
【先行技術文献】
【特許文献】
【０００４】
【特許文献１】特開２０１４−２０９３４４号公報
【発明の概要】
【発明が解決しようとする課題】
【０００５】
特許文献１に記載のタッチパネルセンサの各センサ部において、駆動電極と検出電極とは、端部においてのみ互いに対向している。この場合、駆動電極と検出電極とによって形成されるコンデンサの静電容量を増加させるためには、駆動電極及び検出電極の端部の長さを増加させる必要がある。しかしながら、駆動電極及び検出電極の端部の長さを増加させると、各センサ部の寸法が増加し、この結果、タッチパネルセンサの分解能が低下してしまう。
【０００６】
本発明は、このような課題を効果的に解決し得るタッチパネルセンサ及びタッチ位置検出機能付き表示装置を提供することを目的とする。
【課題を解決するための手段】
【０００７】
本発明は、外部導体の位置を検出することができる領域に対応する第１領域と、前記第１領域の周辺に位置する第２領域と、に区画される基材と、前記基材の一方の側において前記第１領域に位置し、第１電極及び第２電極を有する複数のセンサ部と、各センサ部の前記第１電極に接続され、前記第２領域まで延びる複数の第１配線と、各センサ部の前記第２電極に接続され、前記第２領域まで延びる複数の第２配線と、を備え、前記第１電極は、第１方向に延び、且つ前記第１方向に交差する第２方向に並ぶ複数の第１線状部分を含み、前記第２電極は、隣り合う２つの前記第１線状部分の間に位置し、前記第１方向に延び、且つ前記第２方向に並ぶ複数の第２線状部分を含み、前記第２方向において隣り合う２つの前記センサ部において、一方の前記センサ部の前記第１電極の前記第１線状部分の端部の、前記第１方向における位置が、他方の前記センサ部の前記第１電極の前記第１線状部分の端部の、前記第１方向における位置と異なっている、タッチパネルセンサである。
【０００８】
本発明によるタッチパネルセンサの、少なくとも１つの前記センサ部の前記第１電極において隣り合う２つの前記第１線状部分において、一方の前記第１線状部分の端部の、前記第１方向における位置が、他方の前記第１線状部分の端部の、前記第１方向における位置と異なっていてもよい。
【０００９】
本発明は、外部導体の位置を検出することができる領域に対応する第１領域と、前記第１領域の周辺に位置する第２領域と、に区画される基材と、前記基材の一方の側において前記第１領域に位置し、第１電極及び第２電極を有する複数のセンサ部と、各センサ部の前記第１電極に接続され、前記第２領域まで延びる複数の第１配線と、各センサ部の前記第２電極に接続され、前記第２領域まで延びる複数の第２配線と、を備え、前記第１電極は、第１方向に延び、且つ前記第１方向に交差する第２方向に並ぶ複数の第１線状部分を含み、前記第２電極は、隣り合う２つの前記第１線状部分の間に位置し、前記第１方向に延び、且つ前記第２方向に並ぶ複数の第２線状部分を含み、少なくとも１つの前記センサ部の前記第１電極において隣り合う２つの前記第１線状部分において、一方の前記第１線状部分の端部の、前記第１方向における位置が、他方の前記第１線状部分の端部の、前記第１方向における位置と異なっている、タッチパネルセンサである。
【００１０】
本発明によるタッチパネルセンサの、前記第２方向において隣り合う２つの前記センサ部において、一方の前記センサ部の前記第１電極の前記第１線状部分の端部の、前記第１方向における位置が、他方の前記センサ部の前記第１電極の前記第１線状部分の端部の、前記第１方向における位置と異なっていてもよい。
【００１１】
本発明によるタッチパネルセンサにおいて、前記第１電極は、複数の前記第１線状部分に接続された第１接続部分を更に含み、前記第２方向において隣り合う２つの前記センサ部において、一方の前記センサ部の前記第１電極の前記第１接続部分の、前記第１方向における幅が、他方の前記センサ部の前記第１電極の前記第１接続部分の、前記第１方向における幅と異なっていてもよい。
【００１２】
本発明によるタッチパネルセンサにおいて、前記第１接続部分の側部が、鋸状の輪郭を有していてもよい。
【００１３】
本発明によるタッチパネルセンサにおいて、前記センサ部、前記第１配線及び前記第２配線は、基材の一方の側に網目状に配置され、遮光性および導電性を有する複数の導線を含んでいてもよい。
【００１４】
本発明によるタッチパネルセンサにおいて、前記センサ部は、前記第１電極の前記第１線状部分と前記第２電極の前記第２線状部分との間に位置し、前記第１電極及び前記第２電極のいずれにも接続されていないダミー電極を更に有していてもよい。
【００１５】
本発明によるタッチパネルセンサにおいて、前記複数のセンサ部は、第３方向及び第４方向に並んでおり、前記第１配線は、第３方向に延びていてもよい。
【００１６】
本発明によるタッチパネルセンサにおいて、前記第１線状部分が延びる第１方向が、前記第１配線が延びる第３方向に直交する方向に対して成す角度が、−４０°以上且つ４０°以下であってもよい。
【００１７】
また、本発明は、表示装置と、前記表示装置の表示面上に配置された、上記記載のタッチパネルセンサと、を備える、タッチ位置検出機能付き表示装置である。
【発明の効果】
【００１８】
本発明によれば、各センサ部において形成されるコンデンサの容量を効果的に増加させることができる。
【図面の簡単な説明】
【００１９】
【図１】タッチ位置検出機能付き表示装置を示す展開図である。
【図２】タッチパネルセンサ全体を示す平面図である。
【図３】タッチパネルセンサの一部を拡大して示す平面図である。
【図４】タッチパネルセンサの１つのセンサ部を示す平面図である。
【図５】図４に示すセンサ部のうち符号Vが付された枠で囲まれた部分を拡大して示す平面図である。
【図６】タッチパネルセンサの断面構造の一例を示す図である。
【図７】第１方向において隣り合う２つのセンサ部を拡大して示す平面図である。
【図８】第１方向において隣り合う２つのセンサ部の一変形例を示す平面図である。
【図９】第１方向において隣り合う２つのセンサ部の一変形例を示す平面図である。
【図１０】図９に示すセンサ部を構成する導線の一例を示す平面図である。
【図１１】センサ部の第１線状部分の側部の輪郭の一変形例を示す平面図である。
【図１２】センサ部の第１線状部分の側部の輪郭の一変形例を示す平面図である。
【図１３】センサ部の第１接続部分の側部の輪郭の一変形例を示す平面図である。
【図１４】第２の実施の形態において、タッチパネルセンサの一部を拡大して示す平面図である。
【図１５】第２の実施の形態において、タッチパネルセンサの１つのセンサ部を示す平面図である。
【図１６】図１５に示すセンサ部のうち符号XVIが付された枠で囲まれた部分を拡大して示す平面図である。
【図１７】第１線状部分が存在しない場合のセンサ部の一例を示す断面図である。
【図１８】第１線状部分が存在する場合のセンサ部の一例を示す断面図である。
【図１９】第１方向において隣り合う２つのセンサ部を拡大して示す平面図である。
【図２０】第１方向において隣り合う２つのセンサ部の一変形例を示す平面図である。
【図２１】第１方向において隣り合う２つのセンサ部の一変形例を示す平面図である。
【図２２】第３の実施の形態において、第２方向において隣り合う２つのセンサ部を拡大して示す平面図である。
【図２３】第２方向において隣り合う２つのセンサ部の一変形例を示す平面図である。
【図２４】第２方向において隣り合う２つのセンサ部の一変形例を示す平面図である。
【図２５】第２方向において隣り合う２つのセンサ部の一変形例を示す平面図である。
【図２６】第４の実施の形態において、第２方向において隣り合う２つのセンサ部を拡大して示す平面図である。
【図２７】第４方向において隣り合う２つのセンサ部の一変形例を示す平面図である。
【図２８】第４方向において隣り合う２つのセンサ部の一変形例を示す平面図である。
【図２９】第５の実施の形態において、隣り合う４つのセンサ部を拡大して示す平面図である。
【図３０】図２６に示すセンサ部を構成する導線の一例を示す平面図である。
【図３１】第６の実施の形態において、隣り合う４つのセンサ部を拡大して示す平面図である。
【図３２】第６の実施の形態において、タッチパネルセンサの１つのセンサ部を示す平面図である。
【図３３】隣り合う４つのセンサ部の一変形例を示す平面図である。
【発明を実施するための形態】
【００２０】
〔第１の実施の形態〕
以下、図１乃至図７を参照して、本発明の第１の実施の形態について説明する。なお、本明細書に添付する図面においては、図示と理解のしやすさの便宜上、適宜縮尺および縦横の寸法比等を、実物のそれらから変更し誇張してある。
【００２１】
はじめに図１を参照して、タッチ位置検出機能付き表示装置１０について説明する。図１に示すように、タッチ位置検出機能付き表示装置１０は、液晶ディスプレイや有機ＥＬディスプレイなどの表示装置１５と、表示装置１５の観察者側に配置されたタッチパネルセンサ２０と、を組み合わせることによって構成されている。表示装置１５は、表示面１６ａを有する表示パネル１６と、表示パネル１６に接続された表示制御部（図示せず）と、を有している。表示パネル１６は、映像を表示することができるアクティブエリアＡ１と、アクティブエリアＡ１を取り囲むようにしてアクティブエリアＡ１の外側に配置された非アクティブエリア（額縁領域とも呼ばれる）Ａ２と、を含んでいる。表示制御部は、表示されるべき映像に関する情報を処理し、映像情報に基づいて表示パネル１６を駆動する。表示パネル１６は、表示制御部の制御信号に基づいて、所定の映像を表示面１６ａに表示する。すなわち、表示装置１５は、文字や図等の情報を映像として出力する出力装置としての役割を担っている。
【００２２】
タッチパネルセンサ２０は、表示装置１５の表示面１６ａに、例えば接着層（図示せず）を介して接着されている。なお図示はしないが、タッチパネルセンサ２０の観察者側には、タッチパネルセンサ２０や表示装置１５を保護するための保護カバーが設けられていてもよい。
【００２３】
タッチパネルセンサ
次に図１及び図２を参照して、タッチパネルセンサ２０について説明する。図２は、表示装置１５側から見た場合のタッチパネルセンサ２０を示す平面図である。タッチパネルセンサ２０は、相互容量方式のタッチパネルセンサとして構成されている。
【００２４】
図１及び図２に示すように、タッチパネルセンサ２０は、表示装置１５側の第１面２２ａ及び観察者側の第２面２２ｂを含む、矩形状の基材２２を備える。基材２２は、外部導体が検出され得る領域に対応する矩形状の第１領域Ａａ１と、第１領域Ａａ１の周辺に位置する矩形枠状の第２領域Ａａ２と、を含んでいる。第１領域Ａａ１は、表示パネル１６のアクティブエリアＡ１に対応する領域であり、第２領域Ａａ２は、表示パネル１６の非アクティブエリアＡ２に対応する領域である。また、図２に示すように、タッチパネルセンサ２０は、複数のセンサ部２４、複数の第１配線２６及び複数の第２配線２８を備える。センサ部２４、第１配線２６の一部及び第２配線２８の一部は、基材２２の第１領域Ａａ１に配置されており、第１配線２６のその他の部分及び第２配線２８のその他の部分は、基材２２の第２領域Ａａ２に配置されている。また、センサ部２４、第１配線２６及び第２配線２８はいずれも、基材２２の同一の面に設けられている。例えば、センサ部２４、第１配線２６及び第２配線２８はいずれも、基材２２の第１面２２ａに設けられている。また、センサ部２４、第１配線２６及び第２配線２８はいずれも、基材２２の第２面２２ｂに設けられていてもよい。
【００２５】
（基材）
基材２２を構成する材料としては、例えば、ポリエチレンテレフタレート（ＰＥＴ）、シクロオレフィンポリマー（ＣＯＰ）などの有機材料や、ガラスなどの無機材料など、十分な透光性を有する材料が用いられる。基材２２が例えばＰＥＴなどの有機材料を含む場合、基材２２の厚みは例えば３０μｍ以上且つ２００μｍ以下であり、好ましくは３０μｍ以上且つ１００μｍ以下である。なお、センサ部２４、第１配線２６及び第２配線２８を適切に保持することができる限りにおいて、基材２２の具体的な構成が特に限られることはない。例えば、基材２２は、ＰＥＴフィルムの表面に設けられたハードコート層を更に含んでいてもよい。
【００２６】
（センサ部）
図２に示すように、複数のセンサ部２４は、基材２２の第１面２２ａ上に二次元配列されている。例えば、複数のセンサ部２４は、第３方向Ｄ３及び第３方向Ｄ３に交差する第４方向Ｄ４に沿って並んでいる。図２に示す例において、第４方向Ｄ４は第３方向Ｄ３に直交している。以下の説明において、第３方向Ｄ３においてｍ番目に位置し、且つ第４方向Ｄ４においてｎ番目に位置するセンサ部２４のことを、センサ部２４＿ｍｎとも称する。ｍ及びｎは任意の正の整数である。
【００２７】
図３は、図２に示すタッチパネルセンサ２０の複数のセンサ部２４の一部を、例えばセンサ部２４＿１１、センサ部２４＿２１、センサ部２４＿１２及びセンサ部２４＿２２を拡大して示す平面図である。センサ部２４は、互いに対向する第１電極３０及び第２電極４０を有する。第１電極３０及び第２電極４０の一方は、信号電圧が印加される駆動電極として機能し、他方は、検出電極として機能する。例えば、第１電極３０が駆動電極である場合、第２電極４０が検出電極として機能する。この場合、第２電極４０には、第１電極３０と第２電極４０との間に形成されるコンデンサを介した容量結合によって、第１電極３０からの信号電圧が伝達される。
【００２８】
第１電極３０は、複数の第１線状部分３１と、複数の第１線状部分３１に接続された第１接続部分３２と、を含む。複数の第１線状部分３１は、第１方向Ｄ１に延び、且つ第１方向Ｄ１に交差する第２方向Ｄ２に並んでいる。各第１線状部分３１は、第１方向Ｄ１に延びる一対の側部３１１を含んでいる。また、第１接続部分３２は、第２方向Ｄ２に延びている。第１接続部分３２は、第２方向Ｄ２に延びる一対の側部３２１を含んでいる。図３に示す例において、第２方向Ｄ２は第１方向Ｄ１に直交している。また、第１方向Ｄ１は上述の第３方向Ｄ３に平行であり、第２方向Ｄ２は上述の第４方向Ｄ４に平行である。
【００２９】
第１電極３０と同様に、第２電極４０も、複数の第２線状部分４１と、複数の第２線状部分４１に接続された第２接続部分４２と、を含む。複数の第２線状部分４１は、第１方向Ｄ１に延び、且つ第１方向Ｄ１に交差する第２方向Ｄ２に並んでいる。各第２線状部分４１は、第１方向Ｄ１に延びる一対の側部４１１を含んでいる。また、第２線状部分４１は、隣り合う２つの第１線状部分３１の間に位置している。例えば、第１線状部分３１及び第２線状部分４１は、第２方向Ｄ２に沿って交互に並んでいる。図３に示す例においては、同数の第１線状部分３１及び第２線状部分４１が交互に並んでいる。また、第２接続部分４２は、第２方向Ｄ２に延びている。第２接続部分４２は、第２方向Ｄ２に延びる一対の側部４２１を含んでいる。
【００３０】
図３に示すように、各第１線状部分３１の側部３１１は、各第２線状部分４１の側部４１１に対向している。この場合、第１線状部分３１の側部３１１と第２線状部分４１の側部４１１との間には、側部３１１及び側部４１１の対向部分の長さに比例した静電容量を有するコンデンサが形成される。従って、第１電極３０と第２電極４０との間には、第１線状部分３１及び第２線状部分４１の数、並びに側部３１１及び側部４１１の対向部分の長さに比例した静電容量を有するコンデンサが形成される。このため、上述の特許文献１のように駆動電極及び検出電極の端部でのみ互いに対向する場合に比べて、静電容量を増加させることができる。このことにより、センサ部２４の検出感度を高めることができる。
【００３１】
図４は、タッチパネルセンサ２０の１つのセンサ部２４、例えばセンサ部２４＿１１を拡大して示す図である。また、図５は、図４に示すセンサ部２４のうち符号Vが付された枠で囲まれた部分を拡大して示す平面図である。図４及び図５に示すように、第１電極３０の第１線状部分３１及び第１接続部分３２並びに第２電極４０の第２線状部分４１及び第２接続部分４２はそれぞれ、網目状に配置された複数の導線６１を含む。図５に示すように、導線６１の一部は、第５方向Ｄ５に沿って直線状に延びており、また、導線６１のその他の一部は、第５方向Ｄ５に交差する第６方向Ｄ６に沿って直線状に延びている。図５に示す例において、第５方向Ｄ５及び第６方向Ｄ６はそれぞれ、第１方向Ｄ１に対して所定の角度、例えば４５°を成している。この場合、各導線６１の間に正方形状の開口部６２が画成される。開口部６２の寸法は、第１領域Ａａ１の面積のうち開口部６２によって占められる面積の比率（以下、開口率と称する）が十分に高くなり、これによって、表示装置１５からの映像光が適切な透過率で第１領域Ａａ１を透過することができるよう、設定されている。なお、導線６１が延びる方向や開口部６２の形状は特には限定されない。
【００３２】
図４及び図５において、一点鎖線は、第１線状部分３１などのセンサ部２４の構成要素の輪郭を示すために仮想的に描いた線である。センサ部２４の各構成要素の輪郭は、導線６１の端部を連結した線によって画定される。例えば図５に示すように、第１線状部分３１の側部３１１の輪郭は、第１方向Ｄ１に沿って並ぶ複数の導線６１の端部を連結した線によって画定される。
【００３３】
図４及び図５において、符号Ｓ１は、第１方向Ｄ１に沿って延びる隙間（以下、第１隙間とも称する）を表し、符号Ｓ２は、第２方向Ｄ２に沿って延びる隙（以下、第２隙間とも称する）間を表す。図４及び図５に示す例において、第１隙間Ｓ１は、第１線状部分３１の側部３１１と第２線状部分４１の側部４１１との間に形成される。また、第２隙間Ｓ２は、第１線状部分３１の端部３１２と第２接続部分４２の側部４２１との間、又は第２線状部分４１の端部４１２と第１接続部分３２の側部３２１との間に形成される。好ましくは、導線６１は、隙間Ｓ１、Ｓ２を挟んで隣接する導線６１の一方を延長すると他方に重なるよう、配置されている。例えば、隙間Ｓ１、Ｓ２は、直線状に延びる１本の導線６１のうち隙間Ｓ１、Ｓ２となるべき領域に位置する部分を、図５に点線で示す分断部６３として除去することによって、構成されている。これによって、隙間Ｓ１、Ｓ２が目立つことを抑制することができる。
【００３４】
図５において、符号ａは、隙間Ｓ１の幅を表し、符号ｂは、隙間Ｓ２の幅を表す。隙間Ｓ１、Ｓ２が目立つことを抑制するためには、幅ａ及び幅ｂが小さいことが好ましい。幅ａ及び幅ｂは、例えば５μｍ以上且つ７０μｍ以下である。
【００３５】
第１方向Ｄ１に延びる第１線状部分３１及び第２線状部分４１において、好ましくは、導線６１同士が交わる交点６１ａが、第１方向Ｄ１に直交する方向（ここでは第２方向Ｄ２）に沿って少なくとも２つ以上並んでいる。この場合、仮に製造時のエッチング不良などによって１個の交点６１ａが除去されてしまった場合であっても、第１線状部分３１及び第２線状部分４１に少なくとも１個の交点６１ａを残すことができる。従って、残っている少なくとも１個の交点６１ａを利用して、第１方向Ｄ１に沿って第１線状部分３１及び第２線状部分４１に信号を与えることができる。これによって、第１線状部分３１及び第２線状部分４１が断線してしまう可能性を低減することができる。
【００３６】
同様に、第１方向Ｄ２に延びる第１接続部分３２及び第２接続部分４２において、好ましくは、導線６１同士が交わる交点６１ａが、第２方向Ｄ２に直交する方向（ここでは第１方向Ｄ１）に沿って少なくとも２つ以上並んでいる。
【００３７】
図６は、タッチパネルセンサ２０の断面構造の一例を示す図である。図６に示すように、導線６１は、基材２２の第１面２２ａ上に設けられた金属層６４を含んでいる。金属層６４は、例えば、銀、銅、アルミニウムまたはこれらの合金等を含んでいる。金属層６４の幅は、求められる開口率などに応じて設定されるが、例えば１μｍ以上且つ１０μｍ以下である。金属層６４の厚みは、第１電極３０及び第２電極４０に対して求められる電気抵抗値などに応じて適宜設定されるが、例えば０．１μｍ以上且つ５．０μｍ以下である。図６に示す金属層６４は、例えば、基材２２の第１面２２ａ上に全域にわたって設けられた金属層をエッチングなどによってパターニングすることによって得られる。
【００３８】
なお、図示はしないが、導線６１には、導線６１による光の反射を抑制するための低反射処理が施されていてもよい。例えば、金属層６４の表面には黒化処理が施されていてもよい。また、導線６１は、金属層６４と基材２２の第１面２２ａとの間に位置する低反射層を更に含んでいてもよい。
【００３９】
（第１配線）
次に、第１配線２６について説明する。図２及び図３に示すように、複数の第１配線２６はそれぞれ、対応する第１電極３０に接続されている。第１配線２６のうち第１領域Ａａ１に位置する部分は、第１電極３０に接続された接続部分２６１と、接続部分２６１から第２領域Ａａ２に向かって第３方向Ｄ３に延びる線状部分２６２と、を含む。図２に示すように、第３方向Ｄ３に延びる複数の線状部分２６２が第４方向Ｄ４に並んでいてもよい。この場合、図２に示すように、第２領域Ａａ２に位置する第１配線２６までの距離が大きい接続部分２６１ほど、第４方向Ｄ４における幅を大きくしてもよい。これによって、センサ部２４の面積を位置に依らず一定に維持しながら、複数の線状部分２６２を第４方向Ｄ４に並べることができる。
【００４０】
第１配線２６の接続部分２６１は、好ましくは、図３に示すように、第２電極４０の第２線状部分４１の側部４１１に対向するよう第１方向Ｄ１に沿って延びる側部２６３を含む。この場合、第１電極３０と第２電極４０との間だけでなく、第２電極４０の第２線状部分４１と第１配線２６との間にもコンデンサを形成することができ、センサ部２４の静電容量を増加させることができる。
【００４１】
図４に示すように、第１配線２６も、第１電極３０及び第２電極４０と同様に、網目状に配置された複数の導線６１を含む。第１配線２６を構成する導線６１は、好ましくは、導線６１を延長すると第１電極３０又は第２電極４０の導線６１と重なるよう、配置されている。
【００４２】
（第２配線）
次に、第２配線２８について説明する。図２及び図３に示すように、複数の第２配線２８はそれぞれ、対応する第２電極４０に接続されている。第２配線２８のうち第１領域Ａａ１に位置する部分は、第１配線２６の接続部分２６１に対向する側で第２電極４０に接続された接続部分２８１を少なくとも含む。図２及び図３に示すように、第３方向Ｄ３に並ぶ複数のセンサ部２４の第２電極４０に接続された接続部分２８１は、互いに接続されていてもよい。これによって、第１領域Ａａ１に配置される第２配線２８の本数を削減することができる。
【００４３】
第２配線２８の接続部分２８１は、好ましくは、図３に示すように、第１電極３０の第１線状部分３１の側部３１１に対向するよう第１方向Ｄ１に沿って延びる側部２８３を含む。この場合、第１電極３０と第２電極４０との間だけでなく、第１電極３０の第１線状部分３１と第２配線２８との間にもコンデンサを形成することができ、センサ部２４の静電容量を増加させることができる。
【００４４】
図４に示すように、第２配線２８も、第１電極３０及び第２電極４０と同様に、網目状に配置された複数の導線６１を含む。第２配線２８を構成する導線６１は、好ましくは、導線６１を延長すると第１電極３０又は第２電極４０の導線６１と重なるよう、配置されている。
【００４５】
（本実施の形態の効果）
本実施の形態によれば、上述のように、センサ部２４の第１電極３０及び第２電極４０がそれぞれ、互いに対向する複数の第１線状部分３１及び第２線状部分４１を含む。このため、第１電極３０と第２電極４０との間に、第１線状部分３１及び第２線状部分４１の数に比例した静電容量を有するコンデンサを形成することができる。このため、センサ部２４の静電容量を増加させることができ、このことにより、センサ部２４の検出感度を高めることができる。
【００４６】
（第１線状部分３１及び第２線状部分４１によって生じる課題）
一方、第１線状部分３１と第２線状部分４１との間には、第１方向Ｄ１に沿って延びる第１隙間Ｓ１が形成される。このため、第１線状部分３１及び第２線状部分４１の数が多くなるほど、第１隙間Ｓ１の面積が増加し、第１隙間Ｓ１のパターンが目立ってしまうと考えられる。
【００４７】
このような課題を考慮し、以下、第１隙間Ｓ１のパターンが目立つことを抑制することができる第１電極３０及び第２電極４０の配置について、図７を参照して説明する。図７は、第１方向Ｄ１において隣り合う２つのセンサ部２４を、例えばセンサ部２４＿１１及びセンサ部２４＿２１を拡大して示す平面図である。
【００４８】
図７に示すように、センサ部２４＿１１及びセンサ部２４＿２１にはそれぞれ、第１方向Ｄ１に沿って延びる第１隙間Ｓ１が形成されている。この場合、センサ部２４＿１１の第１隙間Ｓ１とセンサ部２４＿２１の第１隙間Ｓ１とが第１方向Ｄ１において一直線上に並んでいると、第１隙間Ｓ１がより目立つと考えられる。従って、本実施の形態においては、図７に示すように、一方のセンサ部２４（例えばセンサ部２４＿１１）の第１線状部分３１の、第２方向Ｄ２における位置と、他方のセンサ部２４（センサ部２４＿２１）の第１線状部分３１の、第２方向Ｄ２における位置とを異ならせることを提案する。例えば、センサ部２４＿１１において第１配線２６側から３番目に位置する第１線状部分３１の側部３１１の位置と、センサ部２４＿２１において第１配線２６側から３番目に位置する第１線状部分３１の側部３１１の位置とが、第２方向Ｄ２において距離ｘ１だけ異なるようにする。距離ｘ１は、例えば３０μｍ以上且つ２５００μｍ以下である。距離ｘ１は、第１線状部分３１の幅Ｗ１に基づいて定められていてもよい。例えば、距離ｘ１は、１×Ｗ１以上且つ５×Ｗ１以下であってもよい。第１線状部分３１の幅Ｗ１は、例えば３０μｍ以上且つ５００μｍ以下である。
【００４９】
図７に示す例によれば、第１方向Ｄ１において隣り合う２つのセンサ部２４において、センサ部２４＿１１の第１隙間Ｓ１とセンサ部２４＿２１の第１隙間Ｓ１とが第１方向Ｄ１において一直線上に並ぶことを抑制することができる。このため、第１隙間Ｓ１がユーザーによって視認されてしまうことを抑制することができる。
【００５０】
好ましくは、第２線状部分４１に関しても第１線状部分３１と同様の配置方法を適用する。すなわち、センサ部２４＿１１の第２線状部分４１の側部４１１の位置と、センサ部２４＿２１の対応する第２線状部分４１の側部４１１の位置とが、第２方向Ｄ２において距離ｘ２だけ異なるようにする。距離ｘ２は、例えば３０μｍ以上且つ２５００μｍ以下である。距離ｘ２は、第２線状部分４１の幅Ｗ２に基づいて定められていてもよい。例えば、距離ｘ２は、１×Ｗ２以上且つ５×Ｗ２以下であってもよい。第２線状部分４１の幅Ｗ２は、例えば３０μｍ以上且つ５００μｍ以下である。これによって、センサ部２４＿１１の第１隙間Ｓ１とセンサ部２４＿２１の第１隙間Ｓ１とが第１方向Ｄ１において一直線上に並ぶことを更に抑制することができる。このため、第１隙間Ｓ１がユーザーによって視認されてしまうことを抑制することができる。
【００５１】
なお、図７においては、センサ部２４＿１１の全ての第１線状部分３１の側部３１１の位置と、センサ部２４＿２１の全ての第１線状部分３１の側部３１１の位置とが第２方向Ｄ２において異なる例を示したが、これに限られることはない。図示はしないが、一部の第１線状部分３１の側部３１１の第２方向Ｄ２における位置がセンサ部２４＿１１とセンサ部２４＿２１とで一致していてもよい。第２線状部分４１についても同様である。
【００５２】
本実施の形態によれば、上述のように、第１方向Ｄ１において隣り合う２つのセンサ部２４において、一方の第１線状部分３１の側部３１１の、第２方向Ｄ２における位置が、他方のセンサ部２４の第１線状部分３１の側部３１１の、第２方向Ｄ２における位置と異なっている。このため、第１方向Ｄ１において隣り合う２つのセンサ部２４において第１隙間Ｓ１が一直線上に並ぶことを抑制することができる。これによって、第１隙間Ｓ１がユーザーによって視認されてしまうことを抑制することができる。
【００５３】
〔変形例〕
上述した実施の形態に対して様々な変更を加えることが可能である。以下、図面を参照しながら、いくつかの変形例について説明する。以下の説明および以下の説明で用いる図面では、上述した実施の形態と同様に構成され得る部分について、上述の各実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００５４】
（第１の変形例）
上述の実施の形態においては、第１方向Ｄ１において隣り合う２つのセンサ部２４において第１隙間Ｓ１が一直線上に並ぶことを抑制することにより、第１隙間Ｓ１がユーザーによって視認されてしまうことを抑制する例を示した。すなわち、隣り合う２つのセンサ部２４の位置関係に基づく改善策について説明した。本変形例においては、１つのセンサ部２４における複数の第１線状部分３１の構成に基づく改善策について説明する。
【００５５】
図８は、第１方向Ｄ１において隣り合う２つのセンサ部２４を、例えばセンサ部２４＿１１及びセンサ部２４＿２１を拡大して示す平面図である。図８に示す例において、センサ部２４＿１１の第１線状部分３１の側部３１１の第２方向Ｄ２における位置は、センサ部２４＿２１の第１線状部分３１の側部３１１の第２方向Ｄ２における位置に一致している。一方、本変形例においては、センサ部２４＿１１の隣り合う２つの第１線状部分３１において、一方の第１線状部分３１の、第２方向Ｄ２における幅が、他方の第１線状部分３１の、第２方向Ｄ２における幅と異なっている。図８に示す例においては、第１の幅Ｗ１１を有する第１線状部分３１と、第２の幅Ｗ１２を有する第１線状部分３１とが第２方向Ｄ２に沿って交互に並んでいる。複数の第２線状部分４１の幅Ｗ２は、一定であってもよく、異なっていてもよい。
【００５６】
本変形例によれば、第１線状部分３１の幅Ｗ１を位置によって異ならせることにより、第２方向Ｄ２に並ぶ複数の第１隙間Ｓ１のピッチを位置によって異ならせることができる。例えば、図８に示すように、第１隙間Ｓ１のピッチは、第１線状部分３１の第１の幅Ｗ１１に対応する第１のピッチＰ１、第２線状部分４１の幅Ｗ２に対応する第２のピッチＰ２、及び、第１線状部分３１の第２の幅Ｗ１２に対応する第３のピッチＰ３を含む。このため、複数の第１隙間Ｓ１が一定のピッチで並ぶ場合に比べて、第１隙間Ｓ１がユーザーによって視認されてしまうことを抑制することができる。
【００５７】
なお、図８においては、１つのセンサ部２４において隣り合う２つの第１線状部分３１の全ての組において、第１線状部分３１の幅Ｗ１が互いに異なる例を示したが、これに限られることはない。図示はしないが、センサ部２４が、同一の幅Ｗ１を有する隣り合う２つの第１線状部分３１を含んでいてもよい。
【００５８】
（第２の変形例）
図９に示すように、上述の実施の形態における改善策、及び上述の第１の変形例における改善策の両方を用いて第１線状部分３１を構成してもよい。すなわち、図９に示す例においては、第１方向Ｄ１において隣り合う２つのセンサ部２４において、一方の第１線状部分３１の側部３１１の、第２方向Ｄ２における位置が、他方のセンサ部２４の第１線状部分３１の側部３１１の、第２方向Ｄ２における位置と異なっている。更に、１つのセンサ部２４において隣り合う２つの第１線状部分３１において、一方の第１線状部分３１の、第２方向Ｄ２における幅が、他方の第１線状部分３１の、第２方向Ｄ２における幅と異なっている。これにより、第１隙間Ｓ１がユーザーによって視認されてしまうことを更に抑制することができる。図１０は、図９に示す第１電極３０及び第２電極４０を構成する導線６１を示す平面図である。
【００５９】
（第３の変形例）
上述の実施の形態及び各変形例においては、第１線状部分３１の側部３１１が第１方向Ｄ１に沿って直線状に延びる例を示した。しかしながら、これに限られることはなく、図１１又は図１２に示すように、第１線状部分３１の側部３１１は、鋸状の輪郭を有していてもよい。言い換えると、側部３１１の輪郭が延びる方向が、第１方向Ｄ１に対して角度θ１を成していてもよい。角度θ１は、例えば２０°以上且つ７０°以下である。図１１に示す例において、角度θ１は２０°である。図１２に示す例において、角度θ１は４５°である。第２線状部分４１の側部４１１も同様に、鋸状の輪郭を有していてもよい。
【００６０】
第１線状部分３１の側部３１１が鋸状の輪郭を有することにより、第１隙間Ｓ１がユーザーによって視認されてしまうことを更に抑制することができる。
【００６１】
（第４の変形例）
また、上述の実施の形態及び各変形例においては、第１接続部分３２の側部３２１が第１方向Ｄ２に沿って直線状に延びる例を示した。しかしながら、これに限られることはなく、図１３に示すように、第１接続部分３２の側部３２１は、鋸状の輪郭を有していてもよい。言い換えると、側部３２１の輪郭が延びる方向が、第２方向Ｄ２に対して角度θ２を成していてもよい。角度θ２は、例えば２０°以上且つ７０°以下である。第２接続部分４２の側部４２１も同様に、鋸状の輪郭を有していてもよい。
【００６２】
第１接続部分３２の側部３２１が鋸状の輪郭を有することにより、第２隙間Ｓ２がユーザーによって視認されてしまうことを更に抑制することができる。
【００６３】
〔第２の実施の形態〕
以下、図１４乃至図１８を参照して、第２の実施の形態について説明する。第２の実施の形態は、センサ部２４がダミー電極５０を更に有する点が異なるのみであり、他の構成は第１の実施の形態と略同一である。第２の実施の形態において、第１の実施の形態と同一部分には同一符号を付して詳細な説明は省略する。また、第１の実施の形態において得られる作用効果が本実施の形態においても得られることが明らかである場合、その説明を省略することもある。
【００６４】
図１４は、タッチパネルセンサの一部を、例えばセンサ部２４＿１１、センサ部２４＿２１、センサ部２４＿１２及びセンサ部２４＿２２を拡大して示す平面図である。センサ部２４は、第１電極３０及び第２電極４０のいずれにも接続されていないダミー電極５０を更に有する。
【００６５】
図１５は、タッチパネルセンサ２０の１つのセンサ部２４、例えばセンサ部２４＿１１を拡大して示す図である。また、図１６は、図１５に示すセンサ部２４のうち符号XVIが付された枠で囲まれた部分を拡大して示す平面図である。ダミー電極５０は、少なくとも第３線状部分５１を含む。第３線状部分５１は、図１６に示すように、第１線状部分３１の側部３１１と第２線状部分４１の側部４１１との間に位置する。ダミー電極５０は、第４線状部分５２を更に含んでいてもよい。第４線状部分５２は、図１６に示すように、第１接続部分３２の側部３２１と第２線状部分４１の端部４１２との間に位置する。第４線状部分５２は、第２接続部分４２の側部４２１と第１線状部分３１の端部３１２との間に位置していてもよい。
【００６６】
図１５及び図１６に示すように、ダミー電極５０の第３線状部分５１及び第４線状部分５２はそれぞれ、第１電極３０及び第２電極４０と同様に、網目状に配置された複数の導線６１を含む。第３線状部分５１及び第４線状部分５２を構成する導線６１は、好ましくは、導線６１を延長すると第１電極３０又は第２電極４０の導線６１と重なるよう、配置されている。
【００６７】
図１５及び図１６に示すように、本変形例においては、第１方向Ｄ１に延びる第１隙間Ｓ１が、第１線状部分３１と第３線状部分５１との間、及び第２線状部分４１と第３線状部分５１との間に形成される。また、第２方向Ｄ２に延びる第２隙間Ｓ２が、第１接続部分３２と第４線状部分５２との間、第４線状部分５２と第２線状部分４１との間、第１線状部分３１と第４線状部分５２との間、及び第４線状部分５２と第２接続部分４２との間に形成される。
【００６８】
図１６において、符号ｃは、第２方向Ｄ２における第１線状部分３１の側部３１１と第２線状部分４１の側部４１１との間の間隔を表す。本実施の形態によれば、第３線状部分５１を設けることにより、第１線状部分３１と第２接続部分４２との間の間隔ｃを拡大することができる。
【００６９】
図１７及び図１８は、第１線状部分３１と第２接続部分４２との間の間隔ｃを拡大することによって実現される効果を説明するための図である。図１７は、第３線状部分５１が存在しない場合のセンサ部２４の一例を示す断面図であり、図１８は、第３線状部分５１が存在する場合のセンサ部２４の一例を示す断面図である。
【００７０】
図１７及び図１８において、符号７１は、第１線状部分３１と第２線状部分４１との間に形成される電気力線を表す。電気力線７１は、第１線状部分３１と第２線状部分４１との間の間隔ｃが大きいほど、広域にわたって広がる。電気力線７１が広がる範囲が大きいほど、センサ部２４が外部導体７２を検出可能な範囲も広くなる。例えば、センサ部２４が外部導体７２を検出し始める際の、基材２２の第２面２２ｂと外部導体７２との間の距離Ｅが大きくなる。すなわち、センサ部２４の感度が向上する。
【００７１】
図１７に示す例において、間隔ｃは、第１隙間Ｓ１の幅ａに等しい。第１隙間Ｓ１の幅ａを大きくすると、第１隙間Ｓ１がユーザーに視認され易くなる。このため、図１７に示す例においては、間隔ｃが制限され、この結果、センサ部２４の感度も制限される。
【００７２】
一方、図１８に示す例において、間隔ｃは、第１隙間Ｓ１の幅ａを二倍した値に第３線状部分５１の幅を加えたものとなる。図１８に示す例によれば、第１隙間Ｓ１の幅ａを維持しながら間隔ｃを大きくして、センサ部２４の感度を向上させることができる。例えば、センサ部２４が外部導体７２を検出し始める際の、基材２２の第２面２２ｂと外部導体７２との間の距離Ｅを、図１７に示す例の場合に比べて大きくすることができる。このことにより、例えば基材２２の厚みが大きい場合や、基材２２の第２面２２ｂ側に更に保護カバーなどが設けられる場合であっても、外部導体７２を適切に検出することができる。
【００７３】
次に、第１隙間Ｓ１のパターンが目立つことを抑制することができる第１電極３０及び第２電極４０の配置について、図１９を参照して説明する。図１９は、第１の実施の形態の図７と同様に、第１方向Ｄ１において隣り合う２つのセンサ部２４を拡大して示す平面図である。
【００７４】
図１９に示す例においても、第１の実施の形態の図７に示す例の場合と同様に、一方のセンサ部２４（例えばセンサ部２４＿１１）の第１線状部分３１の、第２方向Ｄ２における位置と、他方のセンサ部２４（センサ部２４＿２１）の第１線状部分３１の、第２方向Ｄ２における位置とが異なっている。このため、第１方向Ｄ１において隣り合う２つのセンサ部２４において第１隙間Ｓ１が一直線上に並ぶことを抑制することができる。これによって、第１隙間Ｓ１がユーザーによって視認されてしまうことを抑制することができる。
【００７５】
また、一方のセンサ部２４（例えばセンサ部２４＿１１）の第２線状部分４１の、第２方向Ｄ２における位置と、他方のセンサ部２４（センサ部２４＿２１）の第２線状部分４１の、第２方向Ｄ２における位置とが異なっていてもよい。このことによっても、第１方向Ｄ１において隣り合う２つのセンサ部２４において第１隙間Ｓ１が一直線上に並ぶことを抑制することができる。これによって、第１隙間Ｓ１がユーザーによって視認されてしまうことを更に抑制することができる。
【００７６】
〔変形例〕
上述した実施の形態に対して様々な変更を加えることが可能である。以下、図面を参照しながら、いくつかの変形例について説明する。以下の説明および以下の説明で用いる図面では、上述した実施の形態と同様に構成され得る部分について、上述の各実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００７７】
（第１の変形例）
図２０は、第１方向Ｄ１において隣り合う２つのセンサ部２４を、例えばセンサ部２４＿１１及びセンサ部２４＿２１を拡大して示す平面図である。図２０に示す例において、センサ部２４＿１１の第１線状部分３１の側部３１１の第２方向Ｄ２における位置は、センサ部２４＿２１の第１線状部分３１の側部３１１の第２方向Ｄ２における位置に一致している。一方、本変形例においては、第１の実施の形態の第１の変形例の場合と同様に、センサ部２４＿１１の隣り合う２つの第１線状部分３１において、一方の第１線状部分３１の、第２方向Ｄ２における幅が、他方の第１線状部分３１の、第２方向Ｄ２における幅と異なっている。図２０に示す例においては、第１の幅Ｗ１１を有する第１線状部分３１と、第２の幅Ｗ１２を有する第１線状部分３１とが第２方向Ｄ２に沿って交互に並んでいる。複数の第２線状部分４１の幅は、一定であってもよく、異なっていてもよい。また、複数の第３線状部分５１の幅は、一定であってもよく、異なっていてもよい。
【００７８】
本変形例によれば、第１線状部分３１の幅Ｗ１を位置によって異ならせることにより、第２方向Ｄ２に並ぶ複数の第１隙間Ｓ１のピッチを位置によって異ならせることができる。例えば、図２０に示すように、第１隙間Ｓ１のピッチは、第１線状部分３１の第１の幅Ｗ１１に対応する第１のピッチＰ１、第２線状部分４１の幅に対応する第２のピッチＰ２、第１線状部分３１の第２の幅Ｗ１２に対応する第３のピッチＰ３、及び第３線状部分５１の幅に対応する第４のピッチを含む。このため、複数の第１隙間Ｓ１が一定のピッチで並ぶ場合に比べて、第１隙間Ｓ１がユーザーによって視認されてしまうことを抑制することができる。
【００７９】
（第２の変形例）
図２１に示すように、上述の実施の形態における改善策、及び上述の第１の変形例における改善策の両方を用いて第１線状部分３１を構成してもよい。すなわち、図２１に示す例においては、第１方向Ｄ１において隣り合う２つのセンサ部２４において、一方の第１線状部分３１の側部３１１の、第２方向Ｄ２における位置が、他方のセンサ部２４の第１線状部分３１の側部３１１の、第２方向Ｄ２における位置と異なっている。更に、１つのセンサ部２４において隣り合う２つの第１線状部分３１において、一方の第１線状部分３１の、第２方向Ｄ２における幅が、他方の第１線状部分３１の、第２方向Ｄ２における幅と異なっている。これにより、第１隙間Ｓ１がユーザーによって視認されてしまうことを更に抑制することができる。
【００８０】
〔第３の実施の形態〕
上述の第１の実施の形態及び第２の実施の形態においては、第１方向Ｄ１に延びる第１隙間Ｓ１がユーザーによって視認されてしまうための改善策について説明した。本実施の形態においては、第２方向Ｄ２に延びる第２隙間Ｓ２がユーザーによって視認されてしまうための改善策について説明する。
【００８１】
図２２は、第２方向Ｄ２において隣り合う２つのセンサ部２４を、例えばセンサ部２４＿１１及びセンサ部２４＿１２を拡大して示す平面図である。図２２に示すように、センサ部２４＿１１及びセンサ部２４＿１２にはそれぞれ、第２方向Ｄ２に沿って延びる複数の第２隙間Ｓ２が形成されている。センサ部２４＿１１においては、複数の第２隙間Ｓ２が第２方向Ｄ２において一直線上に並んでいる。同様に、センサ部２４＿１２においても、複数の第２隙間Ｓ２が第２方向Ｄ２において一直線上に並んでいる。この場合、センサ部２４＿１１の第２隙間Ｓ２とセンサ部２４＿１２の第２隙間Ｓ２とが更に第２方向Ｄ２において一直線上に並んでいると、第１隙間Ｓ１がより目立つと考えられる。
【００８２】
従って、本実施の形態においては、図２２に示すように、一方のセンサ部２４（例えばセンサ部２４＿１１）の第１線状部分３１の端部３１２の、第１方向Ｄ１における位置と、他方のセンサ部２４（センサ部２４＿１２）の第１線状部分３１の端部３１２の、第１方向Ｄ１における位置とを異ならせることを提案する。例えば、センサ部２４＿１１において第１配線２６から最も離れて位置する第１線状部分３１の端部３１２の位置と、センサ部２４＿１２において最も第１配線２６に近接する第１線状部分３１の端部３１２の位置とが、第１方向Ｄ１において距離ｙ１だけ異なるようにする。距離ｙ１は、例えば２０μｍ以上且つ２０００μｍ以下である。
【００８３】
図２２に示す例によれば、第２方向Ｄ２において隣り合う２つのセンサ部２４において、センサ部２４＿１１の第２隙間Ｓ２とセンサ部２４＿１２の第２隙間Ｓ２とが第２方向Ｄ２において一直線上に並ぶことを抑制することができる。このため、第２隙間Ｓ２がユーザーによって視認されてしまうことを抑制することができる。
【００８４】
好ましくは、第２線状部分４１に関しても第１線状部分３１と同様の配置方法を適用する。すなわち、センサ部２４＿１１の第２線状部分４１の端部４１２の位置と、センサ部２４＿１２の第２線状部分４１の端部４１２の位置とが、第１方向Ｄ１において距離ｙ２だけ異なるようにする。距離ｙ２は、例えば２０μｍ以上且つ２０００μｍ以下である。これによって、センサ部２４＿１１の第２隙間Ｓ２とセンサ部２４＿１２の第２隙間Ｓ２とが第２方向Ｄ２において一直線上に並ぶことを更に抑制することができる。このため、第２隙間Ｓ２がユーザーによって視認されてしまうことを抑制することができる。
【００８５】
なお、図２２においては、センサ部２４＿１１の全ての第１線状部分３１の端部３１２の位置と、センサ部２４＿１２の全ての第１線状部分３１の端部３１２の位置とが第１方向Ｄ１において異なる例を示したが、これに限られることはない。図示はしないが、一部の第１線状部分３１の端部３１２の第１方向Ｄ１における位置がセンサ部２４＿１１とセンサ部２４＿１２とで一致していてもよい。第２線状部分４１についても同様である。
【００８６】
また、図２２においては、第１線状部分３１の端部３１２の位置の位置だけでなく、第１接続部分３２や第２接続部分４２の位置も、センサ部２４＿１１とセンサ部２４＿１２との間で異なる例を示した。しかしながら、これに限られることはなく、図２３に示すように、第１接続部分３２の側部３２１のうち第２線状部分４１の端部４１２と対向しない側の側部３２１の位置が、センサ部２４＿１１とセンサ部２４＿１２との間で一致していてもよい。この場合、センサ部２４＿１１の第１接続部分３２の、第１方向Ｄ１における幅が、センサ部２４＿１２の第１接続部分３２の、第１方向Ｄ１における幅と異なるようになる。第２接続部分４２についても同様である。
【００８７】
〔変形例〕
上述した実施の形態に対して様々な変更を加えることが可能である。以下、図面を参照しながら、いくつかの変形例について説明する。以下の説明および以下の説明で用いる図面では、上述した実施の形態と同様に構成され得る部分について、上述の各実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００８８】
（第１の変形例）
上述の実施の形態においては、第２方向Ｄ２において隣り合う２つのセンサ部２４において第２隙間Ｓ２が一直線上に並ぶことを抑制することにより、第２隙間Ｓ２がユーザーによって視認されてしまうことを抑制する例を示した。すなわち、隣り合う２つのセンサ部２４の位置関係に基づく改善策について説明した。本変形例においては、１つのセンサ部２４における複数の第１線状部分３１の構成に基づく改善策について説明する。
【００８９】
図２４は、第２方向Ｄ２において隣り合う２つのセンサ部２４を、例えばセンサ部２４＿１１及びセンサ部２４＿１２を拡大して示す平面図である。図２４に示す例においては、１つのセンサ部２４の隣り合う２つの第１線状部分３１において、一方の第１線状部分３１の端部３１２の、第１方向Ｄ１における位置と、他方の第１線状部分３１の端部３１２の、第１方向Ｄ１における位置とが、距離ｙ３だけ異なっている。距離ｙ３は、例えば２０μｍ以上且つ２０００μｍ以下である。これによって、１つのセンサ部２４において複数の第２隙間Ｓ２が第２方向Ｄ２において一直線上に並ぶことを抑制することができる。このため、１つのセンサ部２４に形成された複数の第２隙間Ｓ２がユーザーによって視認されてしまうことを抑制することができる。
【００９０】
好ましくは、１つのセンサ部２４内の複数の第１線状部分３１の端部３１２を連結することによって描かれる線が鋸状になるよう、第１線状部分３１が配置されている。これによって、１つのセンサ部２４に形成された複数の第２隙間Ｓ２がユーザーによって視認されてしまうことを更に抑制することができる。
【００９１】
また、好ましくは、第２線状部分４１に関しても第１線状部分３１と同様の配置方法を適用する。すなわち、１つのセンサ部２４の隣り合う２つの第２線状部分４１において、一方の第２線状部分４１の端部４１２の、第１方向Ｄ１における位置と、他方の第２線状部分４１の端部４１２の、第１方向Ｄ１における位置とが、距離ｙ４だけ異なっている。距離ｙ４は、例えば２０μｍ以上且つ２０００μｍ以下である。これによって、第２線状部分４１の端部４１２と第１接続部分３２との間の第２隙間Ｓ２に関しても、１つのセンサ部２４において複数の第２隙間Ｓ２が第２方向Ｄ２において一直線上に並ぶことを抑制することができる。このため、１つのセンサ部２４に形成された複数の第２隙間Ｓ２がユーザーによって視認されてしまうことを抑制することができる。
【００９２】
（第２の変形例）
図２５に示すように、上述の実施の形態における改善策、及び上述の第１の変形例における改善策の両方を用いて第１線状部分３１を構成してもよい。すなわち、図２５に示す例においては、第２方向Ｄ２において隣り合う２つのセンサ部２４において、一方のセンサ部２４の第１線状部分３１の端部３１２の、第１方向Ｄ１における位置が、他方のセンサ部２４の第１線状部分３１の端部３１２の、第１方向Ｄ１における位置と異なっている。更に、１つのセンサ部２４において隣り合う２つの第１線状部分３１において、一方の第１線状部分３１の端部３１２の、第１方向Ｄ１における位置が、他方の第１線状部分３１の端部の、第１方向Ｄ１における位置と異なっている。これにより、第２隙間Ｓ２がユーザーによって視認されてしまうことを更に抑制することができる。
【００９３】
〔第４の実施の形態〕
以下、図２６を参照して、第４の実施の形態について説明する。第４の実施の形態は、センサ部２４がダミー電極５０を更に有する点が異なるのみであり、他の構成は第３の実施の形態と略同一である。第４の実施の形態において、第３の実施の形態と同一部分には同一符号を付して詳細な説明は省略する。また、第３の実施の形態において得られる作用効果が本実施の形態においても得られることが明らかである場合、その説明を省略することもある。
【００９４】
図２６は、第２方向Ｄ２において隣り合う２つのセンサ部２４を、例えばセンサ部２４＿１１及びセンサ部２４＿１２を拡大して示す平面図である。センサ部２４は、上述の第２の実施の形態の場合と同様に、第１電極３０及び第２電極４０のいずれにも接続されていないダミー電極５０を更に有する。ダミー電極５０は、少なくとも第３線状部分５１を含む。第３線状部分５１は、第１線状部分３１の側部３１１と第２線状部分４１の側部４１１との間に位置する。ダミー電極５０は、第４線状部分５２を更に含んでいてもよい。第４線状部分５２は、第１接続部分３２の側部３２１と第２線状部分４１の端部４１２との間、及び第２接続部分４２の側部４２１と第１線状部分３１の端部３１２との間に位置する。
【００９５】
図２６に示す例においても、第３の実施の形態の図２２に示す例の場合と同様に、一方のセンサ部２４（例えばセンサ部２４＿１１）の第１線状部分３１の端部３１２の、第１方向Ｄ１における位置と、他方のセンサ部２４（センサ部２４＿１２）の第１線状部分３１の端部３１２の、第１方向Ｄ１における位置とが異なっている。このため、第２方向Ｄ２において隣り合う２つのセンサ部２４において第２隙間Ｓ２が一直線上に並ぶことを抑制することができる。これによって、第２隙間Ｓ２がユーザーによって視認されてしまうことを抑制することができる。
【００９６】
また、一方のセンサ部２４（例えばセンサ部２４＿１１）の第２線状部分４１の端部４１２の、第１方向Ｄ１における位置と、他方のセンサ部２４（センサ部２４＿１２）の第２線状部分４１の端部４１２の、第１方向Ｄ１における位置とが異なっていてもよい。これによって、センサ部２４＿１１の第２隙間Ｓ２とセンサ部２４＿１２の第２隙間Ｓ２とが第２方向Ｄ２において一直線上に並ぶことを更に抑制することができる。このため、第２隙間Ｓ２がユーザーによって視認されてしまうことを抑制することができる。
【００９７】
〔変形例〕
上述した実施の形態に対して様々な変更を加えることが可能である。以下、図面を参照しながら、いくつかの変形例について説明する。以下の説明および以下の説明で用いる図面では、上述した実施の形態と同様に構成され得る部分について、上述の各実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００９８】
（第１の変形例）
本変形例においては、第３の実施の形態の第１の変形例の場合と同様に、１つのセンサ部２４の隣り合う２つの第１線状部分３１において、一方の第１線状部分３１の端部３１２の、第１方向Ｄ１における位置と、他方の第１線状部分３１の端部３１２の、第１方向Ｄ１における位置とが異なっている。これによって、１つのセンサ部２４において複数の第２隙間Ｓ２が第２方向Ｄ２において一直線上に並ぶことを抑制することができる。このため、１つのセンサ部２４に形成された複数の第２隙間Ｓ２がユーザーによって視認されてしまうことを抑制することができる。
【００９９】
好ましくは、１つのセンサ部２４内の複数の第１線状部分３１の端部３１２を連結することによって描かれる線が鋸状になるよう、第１線状部分３１が配置されている。これによって、１つのセンサ部２４に形成された複数の第２隙間Ｓ２がユーザーによって視認されてしまうことを更に抑制することができる。
【０１００】
また、好ましくは、第２線状部分４１に関しても第１線状部分３１と同様の配置方法を適用する。すなわち、１つのセンサ部２４の隣り合う２つの第２線状部分４１において、一方の第２線状部分４１の端部４１２の、第１方向Ｄ１における位置と、他方の第２線状部分４１の端部４１２の、第１方向Ｄ１における位置とが異なっている。これによって、第２線状部分４１の端部４１２と第１接続部分３２との間の第２隙間Ｓ２に関しても、１つのセンサ部２４において複数の第２隙間Ｓ２が第２方向Ｄ２において一直線上に並ぶことを抑制することができる。このため、１つのセンサ部２４に形成された複数の第２隙間Ｓ２がユーザーによって視認されてしまうことを抑制することができる。
【０１０１】
（第２の変形例）
図２８に示すように、上述の実施の形態における改善策、及び上述の第１の変形例における改善策の両方を用いて第１線状部分３１を構成してもよい。すなわち、図２８に示す例においては、第２方向Ｄ２において隣り合う２つのセンサ部２４において、一方のセンサ部２４の第１線状部分３１の端部３１２の、第１方向Ｄ１における位置が、他方のセンサ部２４の第１線状部分３１の端部３１２の、第１方向Ｄ１における位置と異なっている。更に、１つのセンサ部２４において隣り合う２つの第１線状部分３１において、一方の第１線状部分３１の端部３１２の、第１方向Ｄ１における位置が、他方の第１線状部分３１の端部の、第１方向Ｄ１における位置と異なっている。これにより、第２隙間Ｓ２がユーザーによって視認されてしまうことを更に抑制することができる。
【０１０２】
〔第５の実施の形態〕
本実施の形態においては、上述の各実施の形態及び各変形例における改善策を組み合わせて用いる例について説明する。主要な改善策は下記のとおりである。
（改善策１）
第１方向Ｄ１において隣り合う２つのセンサ部２４において、一方の第１線状部分３１の側部３１１の位置と、他方のセンサ部２４の第１線状部分３１の側部３１１の位置とが、第２方向Ｄ２において距離ｘ１だけ異なる。
（改善策２）
第１方向Ｄ１において隣り合う２つのセンサ部２４において、一方の第２線状部分４１の側部４１１の位置と、他方のセンサ部２４の第２線状部分４１の側部４１１の位置とが、第２方向Ｄ２において距離ｘ２だけ異なる。
（改善策３）
１つのセンサ部２４において隣り合う２つの第１線状部分３１において、一方の第１線状部分３１の、第２方向Ｄ２における幅Ｗ１１が、他方の第１線状部分３１の、第２方向Ｄ２における幅Ｗ１２と異なる。
（改善策４）
１つのセンサ部２４において隣り合う２つの第２線状部分４１において、一方の第２線状部分４１の、第２方向Ｄ２における幅が、他方の第２線状部分４１の、第２方向Ｄ２における幅と異なる。
（改善策５）
第１線状部分３１の側部３１１が鋸状の輪郭を有する。
（改善策６）
第２線状部分４１の側部４１１が鋸状の輪郭を有する。
（改善策７）
第１接続部分３２の側部３２１が鋸状の輪郭を有する。
（改善策８）
第２接続部分４２の側部４２１が鋸状の輪郭を有する。
（改善策９）
センサ部２４が、第１線状部分３１の側部３１１と第２線状部分４１の側部４１１との間に位置するダミー電極５０の第３線状部分５１を更に有する。
（改善策１０）
センサ部２４が、第１接続部分３２の側部３２１と第２線状部分４１の端部４１２との間、及び第２接続部分４２の側部４２１と第１線状部分３１の端部３１２との間に位置するダミー電極５０の第４線状部分５２を更に有する。
（改善策１１）
第２方向Ｄ２において隣り合う２つのセンサ部２４において、一方の第１線状部分３１の端部３１２の位置と、他方のセンサ部２４の第１線状部分３１の端部３１２の位置とが、第１方向Ｄ１において距離ｙ１だけ異なる。
（改善策１２）
第２方向Ｄ２において隣り合う２つのセンサ部２４において、一方の第２線状部分４１の端部４１２の位置と、他方のセンサ部２４の第２線状部分４１の端部４１２の位置とが、第１方向Ｄ１において距離ｙ２だけ異なる。
（改善策１３）
１つのセンサ部２４において隣り合う２つの第１線状部分３１において、一方の第１線状部分３１の端部３１２の位置と、他方の第１線状部分３１の端部３１２の位置とが、第１方向Ｄ１において距離ｙ３だけ異なる。
（改善策１４）
１つのセンサ部２４において隣り合う２つの第２線状部分４１において、一方の第２線状部分４１の端部４１２の位置と、他方の第２線状部分４１の端部４１２の位置とが、第１方向Ｄ１において距離ｙ４だけ異なる。
【０１０３】
上述の改善策１〜１４を任意に組み合わせて複数のセンサ部２４を構成することができる。図２９は、上述の改善策１〜３及び９〜１４を組み合わせて用いることによって構成された複数のセンサ部２４の一例を示す図である。また、図３０は、図２９に示すセンサ部２４の第１電極３０及び第２電極４０を構成する導線６１を示す平面図である。
【０１０４】
〔第６の実施の形態〕
上述の各実施の形態及び各変形例においては、第１電極３０の第１線状部分３１及び第２電極４０の第２線状部分４１が延びる第１方向Ｄ１が、第１配線２６の線状部分２６２が延びる第３方向Ｄ３に平行である例を示した。本実施の形態においては、第１電極３０の第１線状部分３１及び第２電極４０の第２線状部分４１が延びる第１方向Ｄ１が、第３方向Ｄ３に平行ではない例を説明する。
【０１０５】
図３１は、タッチパネルセンサの一部を、例えばセンサ部２４＿３１、センサ部２４＿４１、センサ部２４＿３２及びセンサ部２４＿４２を拡大して示す平面図である。また、図３２は、図３１に示すセンサ部２４＿４１を構成する導線６１を示す平面図である。図３１及び図３２に示す例においては、第１電極３０の第１線状部分３１及び第２電極４０の第２線状部分４１が延びる第１方向Ｄ１が、第１配線２６の線状部分２６２が延びる第３方向Ｄ３に直交している。この場合、第１線状部分３１と第２線状部分４１との間に形成される第１隙間Ｓ１が延びる方向も、複数の線状部分２６２の間に形成される第３隙間Ｓ３が延びる方向に直交する。このため、第１隙間Ｓ１と第３隙間Ｓ３とが同一の方向に延びる場合に比べて、第１隙間Ｓ１及び第３隙間Ｓ３のパターンが目立つことを抑制することができる。これによって、第１隙間Ｓ１及び第３隙間Ｓ３がユーザーによって視認されてしまうことを抑制することができる。
【０１０６】
図３１に示す例においても、第１方向Ｄ１に延びる複数の第１線状部分３１及び複数の第２線状部分４１は、第１方向Ｄ１に交差する第２方向Ｄ２に並んでいる。図３１に示す例において、第２方向Ｄ２は第１方向Ｄ１に直交している。
【０１０７】
図３１に示す例においても、上述の改善策１〜１４を任意に組み合わせて用いることができる。例えば、第１方向Ｄ１において隣り合う２つのセンサ部２４において、一方の第１線状部分３１の側部３１１の位置と、他方のセンサ部２４の第１線状部分３１の側部３１１の位置とが、第２方向Ｄ２において距離ｘ１だけ異なっていてもよい（改善策１）。同様に、第１方向Ｄ１において隣り合う２つのセンサ部２４において、一方の第２線状部分４１の側部４１１の位置と、他方のセンサ部２４の第２線状部分４１の側部４１１の位置とが、第２方向Ｄ２において距離ｘ２だけ異なっていてもよい（改善策２）。これらのことにより、第１方向Ｄ１において隣り合う２つのセンサ部２４において第１隙間Ｓ１が一直線上に並ぶことを抑制することができる。これによって、第１隙間Ｓ１がユーザーによって視認されてしまうことを抑制することができる。
【０１０８】
また、第２方向Ｄ２において隣り合う２つのセンサ部２４において、一方の第１線状部分３１の端部３１２の位置と、他方のセンサ部２４の第１線状部分３１の端部３１２の位置とが、第１方向Ｄ１において距離ｙ１だけ異なっていてもよい（改善策１１）。同様に、第２方向Ｄ２において隣り合う２つのセンサ部２４において、一方の第２線状部分４１の端部４１２の位置と、他方のセンサ部２４の第２線状部分４１の端部４１２の位置とが、第１方向Ｄ１において距離ｙ２だけ異なっていてもよい（改善策１２）。これらのことにより、第２方向Ｄ２において隣り合う２つのセンサ部２４において第２隙間Ｓ２が一直線上に並ぶことを抑制することができる。これによって、第２隙間Ｓ２がユーザーによって視認されてしまうことを抑制することができる。
【０１０９】
〔変形例〕
上述した実施の形態に対して様々な変更を加えることが可能である。以下、図面を参照しながら、いくつかの変形例について説明する。以下の説明および以下の説明で用いる図面では、上述した実施の形態と同様に構成され得る部分について、上述の各実施の形態における対応する部分に対して用いた符号と同一の符号を用いることとし、重複する説明を省略する。また、上述した実施の形態において得られる作用効果が変形例においても得られることが明らかである場合、その説明を省略することもある。
【０１１０】
（第１の変形例）
図３３に示すように、第１線状部分３１及び第２線状部分４１が延びる第１方向Ｄ１は、第１配線２６の線状部分２６２が延びる第３方向Ｄ３に直交する方向（ここでは第４方向Ｄ４）に対して傾斜していてもよい。傾斜角度は、例えば−４０°以上且つ４０°以下である。図３３に示す例においても、第１隙間Ｓ１と第３隙間Ｓ３とが同一の方向に延びる場合に比べて、第１隙間Ｓ１及び第３隙間Ｓ３のパターンが目立つことを抑制することができる。これによって、第１隙間Ｓ１及び第３隙間Ｓ３がユーザーによって視認されてしまうことを抑制することができる。また、図３３に示す例においては、第１隙間Ｓ１が延びる第１方向Ｄ１が、センサ部２４が並ぶ第３方向Ｄ３や第４方向Ｄ４に対して傾斜しているので、モアレを抑制する効果も期待できる。
【０１１１】
図３３に示す例においても、上述の改善策１〜１４を任意に組み合わせて用いることができる。例えば、第２方向Ｄ２において隣り合う２つのセンサ部２４において、一方の第１線状部分３１の端部３１２の位置と、他方のセンサ部２４の第１線状部分３１の端部３１２の位置とが、第１方向Ｄ１において距離ｙ１だけ異なっていてもよい（改善策１１）。同様に、第２方向Ｄ２において隣り合う２つのセンサ部２４において、一方の第２線状部分４１の端部４１２の位置と、他方のセンサ部２４の第２線状部分４１の端部４１２の位置とが、第１方向Ｄ１において距離ｙ２だけ異なっていてもよい（改善策１２）。これらのことにより、第２方向Ｄ２において隣り合う２つのセンサ部２４において第２隙間Ｓ２が一直線上に並ぶことを抑制することができる。これによって、第２隙間Ｓ２がユーザーによって視認されてしまうことを抑制することができる。
【符号の説明】
【０１１２】
１０  タッチ位置検出機能付き表示装置
１５  表示装置
２０  タッチパネルセンサ
２２  基材
２４  センサ部
２５  隙間
２６  第１配線
２６１  接続部分
２６２  線状部分
２６３  側部
２８  第２配線
２８１  接続部分
２８３  側部
３０  第１電極
３１  第１線状部分
３１１  側部
３１２  端部
３２  第１接続部分
３２１  側部
４０  第２電極
４１  第２線状部分
４１１  側部
４１２  端部
４２  第２接続部分
４２１  側部
５０  ダミー電極
５１  第３線状部分
５２  第４線状部分
６１  導線
６２  開口部
６３  分断部
７１  電気力線
７２  外部導体
【図１】
2018112841.tif 000003
【図２】
2018112841.tif 000004
【図３】
2018112841.tif 000005
【図４】
2018112841.tif 000006
【図５】
2018112841.tif 000007
【図６】
2018112841.tif 000008
【図７】
2018112841.tif 000009
【図８】
2018112841.tif 000010
【図９】
2018112841.tif 000011
【図１０】
2018112841.tif 000012
【図１１】
2018112841.tif 000013
【図１２】
2018112841.tif 000014
【図１３】
2018112841.tif 000015
【図１４】
2018112841.tif 000016
【図１５】
2018112841.tif 000017
【図１６】
2018112841.tif 000018
【図１７】
2018112841.tif 000019
【図１８】
2018112841.tif 000020
【図１９】
2018112841.tif 000021
【図２０】
2018112841.tif 000022
【図２１】
2018112841.tif 000023
【図２２】
2018112841.tif 000024
【図２３】
2018112841.tif 000025
【図２４】
2018112841.tif 000026
【図２５】
2018112841.tif 000027
【図２６】
2018112841.tif 000028
【図２７】
2018112841.tif 000029
【図２８】
2018112841.tif 000030
【図２９】
2018112841.tif 000031
【図３０】
2018112841.tif 000032
【図３１】
2018112841.tif 000033
【図３２】
2018112841.tif 000034
【図３３】
2018112841.tif 000035